(57)【特許請求の範囲】
【請求項１】
本原稿の頁をめくる頁めくり手段と、本原稿読取の光路を切り換えてシート原稿の読み取りができる本原稿読取手段と、読み取られた原稿の画像データを入力する画像入力手段とを備えた、本原稿の原稿頁面に沿って往復移動する本原稿読み取りユニットを有する、外部装置からの画像情報を入出力可能な本原稿読み取り装置と、
上記本原稿読み取り装置に入力された上記画像情報と上記画像データを処理する画像処理手段と、
入力された上記画像情報と上記画像データを記憶する記憶手段と、
入力または処理された上記画像情報と上記画像データを表示する表示手段と、
上記記憶手段に記憶された上記画像情報と上記画像データを編集するために上記画像処理手段を操作する操作手段と、を有する画像ファイル装置と、
を具備する画像ファイリングシステム。
【発明の詳細な説明】
【０００１】
【産業上の利用分野】
本発明は、本原稿の画像ファイリングシステムに関する。
【０００２】
【従来の技術】
近時、ブック原稿の原稿情報を読み取った後に、この読み取りを終えた原稿頁の頁めくりを自動的に行うように構成された本原稿読み取り装置が種々開発され、複写機などにその応用例を見ることができる。
また、画像読み取り装置を具備し、磁気ディスクや光ディスクなどの大容量記憶媒体と、モニターやプリンターなどの装置を備えた、所謂ファイリングシステムも多種多様のものが開発されている。
【０００３】
【発明が解決しようとする課題】
ところで、種々の応用例が開発されている前記の画像ファイリングシステムでは、画像入力装置として、シート原稿をコンタクトガラスの上に１枚づつ載せて圧板で押え、画像情報を読み取ったり、あるいは、自動原稿給紙装置（ＡＤＦ）により、積載されたシート原稿を１枚づつ分離して取り出し、搬送しながら、または、読み取り位置まで搬送してから、画像情報を読み取る方式を使用したものが殆どであった。
従って、頁めくり作業を伴う本原稿画像のファイリングは、どうしても人手に頼らざるを得ず、多大な労力を必要としていた。
この発明は、上述の点に鑑みてなされたものであって、その目的は、画像入力装置として自動頁めくり機能を備えた本原稿読み取り装置を用いることで、手間の掛る本原稿からの画像情報読み取りの自動化及び省力化を図り、画像情報を処理したり、光ディスクや磁気ディスクなどの記録媒体に画像情報を記憶したり、ＣＲＴなどのモニターやプリンターなどの出力装置に画像情報を出力することのできる画像ファイリングシステムを提供することにある。
【０００４】
【課題を解決するための手段】
この発明は、上述の課題を解決するために、本原稿の頁をめくる頁めくり手段と、本原稿読取の光路を切り換えてシート原稿の読み取りができる本原稿読取手段と、読み取られた原稿の画像データを入力する画像入力手段とを備えた、本原稿の原稿頁面に沿って往復移動する本原稿読み取りユニットを有する、外部装置からの画像情報を入出力可能な本原稿読み取り装置と、上記本原稿読み取り装置に入力された上記画像情報と上記画像データを処理する画像処理手段と、入力された上記画像情報と上記画像データを記憶する記憶手段と、入力または処理された上記画像情報と上記画像データを表示する表示手段と、上記記憶手段に記憶された上記画像情報と上記画像データを編集するために上記画像処理手段を操作する操作手段と、を有する画像ファイル装置と、を具備する構成とする。
【０００５】
【実施例】
以下、本発明の実施例を図に基づいて詳細に説明する。
図１に、本発明による画像ファイリングシステムのブロック図を示す。
この画像ファイリングシステムは、画像処理手段１０１，表示手段１０２，記憶手段１０３，操作手段１０４を備えた画像ファイリング装置１００に、本原稿読み取り装置２００と、画像出力装置３００とを、それぞれインターフェース１０５，１０６により接続して構成されている。
【０００６】
この画像ファイリングシステムでは、例えば、本原稿読み取り装置２００で読み取られた本原稿の多値の画像データを、画像処理手段１０１で２値化，データ圧縮などの画像処理を施して、記憶手段１０３により記憶したり、表示手段１０２により表示することができる。
また、この画像ファイリングシステムでは、記憶手段１０３に記憶されたデータを呼び出し、画像処理手段１０１によりデータ伸長などの画像処理を行って、この処理画像を表示手段１０２により表示させたり、必要に応じて、処理画像を編集して画像形成装置３００によりプリントして出力することができる。
【０００７】
この画像ファイリングシステムの具体的な実施例の外観図を図２に示す。
図２において、画像処理手段１０１は、記憶手段１０３を備えたホストコンピュータである。
記憶手段１０３の記憶媒体としては、磁気ディスクや光ディスクなどが用いられる。
表示手段１０２は、読み取った画像情報を表示する手段であり、ＣＲＴディスプレイやＬＣＤなどが使用される。
操作手段１０４は、画像処理手段１０１を操作する手段であり、ここでは、キーボード１０４ａやマウス１０４ｂが使用される。
【０００８】
画像形成装置３００は、レーザプリンタ，インクジェットプリンタ，熱転写プリンタ等の、様々な公知のプリンタである。
【０００９】
本原稿読み取り装置２００は、本原稿の頁を１頁ずつ自動的にめくる頁めくり手段と、読み取った頁の画像データを入力する画像入力手段とを備えた、本原稿の自動頁めくり読み取り装置であり、図３に、その全体構成図を示す。
【００１０】
図３において、原稿台１３は、装置本体に対して手前側に引き出せるように構成されており、本原稿１４は、この原稿台１３を装置の前面に引き出した状態で、原稿読取ユニット１５に対して上下動自在に支持された昇降台１３ａ，１３ｂの上に原稿頁を見開いて載置される。
昇降台１３ａ，１３ｂは、載置された本原稿１４の厚さや見開かれた左右の原稿頁の頁量の差に応じて、見開かれた本原稿１４の左右の頁面を同一平面に位置させるように左右独立して昇降するように構成されている。
【００１１】
昇降台１３ａ，１３ｂ上に本原稿１４を載置した後、装置本体内に原稿台１３を押し込むと、本原稿１４が、装置本体の中央部に待機している原稿読取ユニット１５の真下に滑り込む。
この状態で、図示しない昇降台駆動機構が作動し、本原稿１４の左右の各原稿頁が押えシート３７，３８の下面に圧接するまで、各昇降台１３ａ，１３ｂがそれぞれ独立して上昇される。
【００１２】
原稿読取ユニット１５は、原稿読取手段と頁めくり手段とを備えており、駆動モータ２２の駆動により、タイミングベルト１９を介して、本原稿１４の原稿頁面に沿って往復移動される。
この時、各押えシート３７，３８は、原稿読取ユニット１５の移動に伴って緊張及び弛緩されないように、個々の巻取りローラ３９，４４により、それぞれ張架される向きに巻取られる構成になっており、これにより、本原稿１４の左右の原稿頁が、常時所定の圧力により押圧される。
【００１３】
図４に、原稿読取ユニット１５の内部に設けられた原稿読取手段１７と頁めくり手段１８の構成を示す。
原稿読取ユニット１５が、図３の左端から右端に向けて走査移動する際には、本原稿読取部３２を照明する光源（蛍光灯）３０ａ，３０ｂ、ミラー２６，２７，３１、レンズ２８、及び、読取素子（ＣＣＤ基板）２９などで構成された縮小光学系からなる原稿読取手段１７によって、本原稿１４の見開かれた原稿頁面の画像情報の読み取り走査が行われる。
また、本実施例の原稿読取手段１７は、平生、図４の破線で示す位置に待機されている光路切替ミラー２５を、その本原稿１４の読み取り光路に介在させることによって、図３に示す装置本体上部のコンタクトガラス１２上に載置されたシート原稿（図示せず）の画像情報も読み取ることができる。このシート原稿の画像情報を読み取る場合には、そのシート原稿読取部２３を照明する手段として、光源（蛍光灯）２４ａ，２４ｂが使用される。
【００１４】
一方、原稿読取ユニット１５が、図３の右端から左端に向けて移動する際には、頁めくり手段１８により、本原稿１４の原稿頁の頁めくり動作が行われる。
本実施例の頁めくり手段１８は、図４乃至図７に示すように、原稿読取ユニット１５内に設けられた駆動ローラ３４及び従動ローラ３５と、これらの駆動ローラ３４及び従動ローラ３５に巻回され該本原稿上面に位置する原稿頁を吸着して該原稿頁を頁めくり方向に向かって搬送するめくりベルト３３と、駆動ローラ３４を支点として従動ローラ３５を移動させて該原稿頁を吸着する水平位置から該原稿頁を持ち上げる傾斜位置にめくりベルト３３の原稿頁吸着面を移動させるベルト移動手段（図示せず）と、めくりベルト３３の外周に圧接するように配置された平坦な外周面を有する帯電ローラ３６ａと、周期的な凹凸の形成された外周面を有する帯電ローラ３６ｂと、これらの各帯電ローラ３６ａ，３６ｂに高電圧を印加するための高圧電源７０とからなるめくりベルトユニットにより構成されている。
【００１５】
ここで、に示す平坦な外周面を有する帯電ローラ３６ａは、図６に示すように、（直流）高圧電源７０のマイナス（−）端子に接続されており、に示す周期的な凹凸の形成された外周面を有する帯電ローラ３６ｂは、（直流）高圧電源７０のプラス（＋）端子にそれぞれ接続されている。
また、めくりベルト３３は、表面（外周面）が高抵抗層、裏面（内周面）が中抵抗層からなる２層構造の無端ベルトで構成されている。
【００１６】
駆動ローラ３４は、支軸がアースされた金属ローラの外周に、導電性ゴム層を被覆して構成されている。
帯電ローラ３６ａは、図５（ａ）に示すように、外周面が平坦な金属等からなる導電性ローラを、絶縁層を介して、支軸に固定して構成されている。
【００１７】
図５（ｂ）に示す帯電ローラ３６ｂは、外周面に周期的な凹凸の形成された金属等からなる導電性ローラを、同じく、絶縁層を介して、支軸に固定して構成されている。
また、本実施例における帯電ローラ３６ｂは、その外周面に形成された周期的な凹凸のピッチが３ｍｍとなるように構成されている。
【００１８】
図６において、原稿読取ユニット１５が図３の右端側から左端側に向けて移動すると、この原稿読取ユニット１５の移動方向と平行に配置されたラック５６と、このラック５６に噛み合うように原稿読取ユニット１５に枢支されたアイドルギヤ５７と、駆動ローラ３４の支軸に固定された駆動ギヤ５８とにより、めくりベルト３３が、原稿読取ユニット１５の移動速度と同じ速度で、反時計方向に回転される。
【００１９】
このように、めくりベルト３３が回転している状態で、帯電ローラ３６ａにマイナスの高電圧が、帯電ローラ３６ｂにプラスの高電圧が、高圧電源７０からそれぞれ印加されると、このめくりベルト３３の表面に、プラス（＋）電荷とマイナス（−）電荷とが交互に帯電された縞状の電荷パターンが形成され、この電荷パターンの不平等電界によって、めくりベルト３３の表面に、本原稿１４の原稿頁を吸着させる吸着力が発生する。
【００２０】
このようにして電荷パターンがめくりベルト３３に形成され、原稿読取ユニット１５が更に移動して、本原稿１４の右頁端部がめくりベルト３３の下側にかかることによって、めくりベルト３３に原稿頁端部が吸着される。
そして、この状態で、図７に示すように、めくりベルト３３が傾斜されることにより、これに吸着された原稿頁のみが持ち上げられて他の頁から分離される。
【００２１】
このようにして吸着分離された原稿頁は、原稿読取ユニット１５の移動によって、頁収納ガイド板５２に沿って、搬送ローラ５３，５４により原稿読取ユニット１５の外側部に一旦排出された後、原稿読取ユニット１５が更に移動して本原稿１４の見開き中央部を通過することにより、搬送ローラ５３，５４の駆動が遮断されて、本原稿１４の反対側の原稿頁面上に自動的に排出される。
【００２２】
本発明の画像ファイリングシステム固有の使用方法により、以下のような処理が可能となる。
（１）これまで自動化ができなかった本原稿のファイリング作業を、完全に自動化することが可能となる。
（２）予め本原稿の中の読み取り不要な頁を入力しておき、次に、本原稿の読み取り開始頁を入力して、自動で１頁ずつめくりながら各頁画像を読み取り、予め指定した読み取り不要頁が見開かれたら、この読み取り不要な頁の読み取りは行わずに、その頁めくり動作のみを行うように制御することによって、必要な頁のみの画像情報をファイリングすることができる。
（３）本原稿の読み取り開始頁を入力して、自動で１頁ずつめくりながら各頁画像を読み取る際に、頁めくり回数から頁を計算し、読み取った画像が本原稿の何れの頁に相当しているかを、読み取り画像情報と共に一緒に記憶することによって、頁による画像情報の検索を容易にできる。
（４）一旦、記憶手段媒体に書き込まれた本原稿の画像情報を、本よりも遥かに少ないスペースで保管したり、流通させることができる。すなわち、単行本の光ディスク化及び磁気ディスク化が容易に可能となる。
【００２３】
ところで、本出願人は、先に、例えば図９に示すように、本原稿読み取り装置２００をプリンタ４００の本体上に搭載した多機能型プリンタを開発した。
この多機能型プリンタは、図９に示すように、原稿読取ユニット１５の走査移動によって、原稿台１３上に見開かれて載置された本原稿１４の画像情報を、１頁ずつ読み取りながら頁めくりを行うと共に、この読み取った原稿情報を、プリンタ４００によりシート状の印刷物として、プリンタ４００の排紙口４０１からプリントアウトするように構成されていた。
このため、この多機能型プリンタでは、その原稿読取ユニットにより読み取った本原稿やシート原稿の画像情報はプリントアウトできるが、例えばファクシミリやワードプロセッサなどの外部装置からの画像情報を、プリントアウトしたり保存したりすることができず、また、読み取った画像情報を、例えばノートなどのような綴じられた被印刷物にプリントアウトすることができなかった。
【００２４】
そこで、以下に説明する実施例では、前述した本原稿読取装置に、外部情報の入力機能，外部情報並びに本原稿情報の保存（記憶）機能，及び、綴じられた被印刷物に対する頁めくり機能並びに印刷機能を装備して、幅広い用とに対応できる画像ファイリングシステム（本原稿書き込み装置）を提供する。
【００２５】
本実施例のシステムにより本原稿１４の画像情報を読み取る場合には、図８に示すように、原稿台１３上に見開いた本原稿１４を載置し、図４に示した原稿読取ユニット１５の走査移動により、本原稿１４の画像情報を読み取る。
この本原稿１４から読み取られた画像情報は、装置内部に配置された情報記録媒体（例えば図１の記憶手段１０３など）により保存される。
【００２６】
一方、本システムでは、外部装置からの画像情報を入力して保存することができ、図８に示す実施例では、本原稿読み取り装置２００に、外部装置としてワードプロセッサ５００を接続した例を示している。
図８において、ワードプロセッサ５００により作成された文章や図柄等の画像情報は、本原稿読み取り装置２００に入力されることにより、この装置内部に配置された情報記録媒体に保存される。
【００２７】
このシステムに保存されている画像情報を綴じられた印刷物として出力する場合には、図８において、本原稿読み取り装置２００の原稿台１３上に、ノート等の綴じられた被印刷物を本原稿１４と差し替えて載置し、画像情報の読み取り時の場合と同様に、原稿読み取りユニット１５を走査移動させ、その頁めくり手段によって綴じられた被印刷物の頁を１頁ずつめくるとともに、情報記録媒体に保存されている画像情報を呼び出しながら、この原稿読み取りユニット１５に配設された書き込み手段（インクジェット装置など）により、被印刷物のめくられた頁上に呼び出された画像情報をプリントアウトする。
【００２８】
また、このシステムにより複数枚のシート状の原稿の画像情報を綴じられた印刷物として出力する場合には、図８において、シート原稿給紙台２０１を使用して複数枚のシート原稿を１枚ずつ順次給送し、本原稿読み取り装置２００の読み取り手段によりシート原稿の画像情報を１枚ずつ読み取って、この読み取った画像情報を、一旦、情報記録媒体に記憶し、以下、上述のように、本原稿読み取り装置２００の原稿台１３上に、ノート等の綴じられた被印刷物を本原稿１４と差し替えて載置し、原稿読み取りユニット１５を走査移動させ、その頁めくり手段によって綴じられた被印刷物の頁を１頁ずつめくるとともに、情報記録媒体に保存されている画像情報を呼び出しながら、書き込み手段により、被印刷物のめくられた頁上に呼び出された画像情報をプリントアウトする。
【００２９】
上述のように、本システムによれば、本原稿または複数枚のシート原稿の画像情報を、一時的あるいは長期的に保存でき、且つ、これらの保存された画像情報を綴じられた被印刷物に適時プリントアウトできるので、例えば、自作の小説や漫画等を市販のノートなどに複製するなど、その活用範囲を広げることができる。
【００３０】
また、本システムによれば、外部装置からの画像情報を、一時的あるいは長期的に保存でき、且つ、これらの保存された画像情報を綴じられた被印刷物に適時プリントアウトできるので、例えば、ワードプロセッサにより入力した画像情報を個人の本として作成できるなど、その活用範囲を更に広げることができる。
【００３１】
更に、本システムによれば、装置内部の情報記録媒体に保存されている画像情報を、外部装置に出力する（呼び出す）ことができるので、それらの画像情報を編集して再び入力するなど、その活用範囲を更に広げることができる。
【００３２】
【発明の効果】
本発明の画像ファイリングシステムによれば、自動頁めくり機能を持った本原稿読み取り装置を備えているので、従来、人手に頼らざるを得なかった本原稿の本原稿の画像読み取りや画像情報の記憶などの作業を自動化・省力化することができる。
また、本発明の画像ファイリングシステムによれば、一旦、大容量の記憶媒体に書き込まれた画像情報を、本よりも遥かに少ないスペースで保管でき、その持ち運びも容易且つ便利となる。更に、その画像情報のキーワードなどによる光束の検索も可能となる。
【図面の簡単な説明】
【図１】本発明による画像ファイリングシステムのブロック図である。
【図２】本発明による画像ファイリングシステムの具体的な実施例の外観を示す斜視図である。
【図３】本発明による画像ファイリングシステムに使用される本原稿読み取り装置の全体構成を示す概略断面図である。
【図４】上記本原稿読み取り装置の原稿読取ユニットの内部に設けられた原稿読取手段と頁めくり手段の構成を示す概略断面図である。
【図５】上記頁めくり手段のめくりベルトに電荷パターンを形成するための帯電ローラの部分断面図である。
【図６】上記めくりベルトに電荷パターンを形成する工程を説明するための頁めくり手段の概略斜視図である。
【図７】上記めくりベルトにより本原稿の頁をめくる工程を説明するための頁めくり手段の概略側面図である。
【図８】本発明による画像ファイリングシステムを応用した本原稿書き込み装置の概略斜視図である。
【図９】従来の本原稿読み取り装置を備えた多機能型プリンタの概略斜視図である。
【符号の説明】
１３      原稿台
１４      本原稿
１５      本原稿読み取りユニット
１７      原稿読み取り手段
１８      頁めくり手段
１００      画像ファイル装置
１０１      画像処理装置
１０２      表示装置
１０３      記憶装置
１０４      走査手段
１０４ａ      キーボード
１０４ｂ      マウス
１０５，１０６      インターフェース
２００      本原稿読み取り装置
３００      画像出力装置
【図１】
0003604423.tif 000002
【図２】
0003604423.tif 000003
【図３】
0003604423.tif 000004
【図４】
0003604423.tif 000005
【図５】
0003604423.tif 000006
【図６】
0003604423.tif 000007
【図７】
0003604423.tif 000008
【図８】
0003604423.tif 000009
【図９】
0003604423.tif 000010